(57)【要約】【課題】  本発明は魚釣用リールに係り、バックラッシュ現象を回避し乍ら、魚との微妙な駆け引きや対応を可能とした魚釣用リールを提供することを目的とする。【解決手段】  請求項１に係る発明は、リール本体の側板間に、スプールを回転自在に支持した魚釣用リールに於て、上記スプールから繰り出される釣糸の繰出し速度を計測する計測手段と、釣糸の繰出し速度に係わる所定条件を記憶した記憶手段と、報知手段と、記憶手段に記憶された所定条件と計測手段で計測された計測値とを比較し、計測値が当該記憶手段の所定条件と一致したときに上記報知手段に作動指令を送出する制御手段とを備えたことを特徴とする。【選択図】    図４
2004208688.tif 000002
【特許請求の範囲】
【請求項１】
リール本体の側板間に、スプールを回転自在に支持した魚釣用リールに於て、
上記スプールから繰り出される釣糸の繰出し速度を計測する計測手段と、
釣糸の繰出し速度に係わる所定条件を記憶した記憶手段と、
報知手段と、
記憶手段に記憶された所定条件と計測手段で計測された計測値とを比較し、計測値が当該記憶手段の所定条件と一致したときに上記報知手段に作動指令を送出する制御手段と、
を備えたことを特徴とする魚釣用リール。
【請求項２】
リール本体の側板間に回転自在に支持したスプールと、
釣糸の繰り出しで回転する回転体の回転方向と回転数を検出する回転検出手段と、
当該回転検出手段の検出値を基に糸長を計測して、これをリール本体に装着した表示器に表示させる糸長計測手段と、
報知手段と、
釣糸の所定長さの繰出し量を記憶した記憶手段と、
前記糸長計測手段で計測する計測値を基に、釣糸が記憶手段に記憶された所定の繰出し量分繰り出される毎に、上記報知手段に作動指令を送出する制御手段とを備えたことを特徴とする魚釣用リール。
【発明の詳細な説明】
【技術分野】
【０００１】
本発明は、リール本体の側板間にスプールを回転自在に支持した魚釣用リールに関する。
【背景技術】
【０００２】
両軸受リールや電動リール等、リール本体の側板間にスプールを回転自在に支持した魚釣用リールに於ては、仕掛けを所望の位置へ繰り出す場合、クラッチ機構をＯＦＦ操作してスプールをフリー回転状態にしてから繰出し操作を行っている。
この場合、主に錘の重さで仕掛けは海中へ降下されるが、潮流の影響や不意に魚がかかって走られると、スプールが過回転して釣糸のバックラッシュ現象が発生することがある。
【０００３】
そこで、このバックラッシュ現象を防止するため、釣糸繰出し時のスプールの回転速度を制御する回転速度調整モータをリール本体に装着し、計測した釣糸繰出し時のスプールの回転速度が所定値を越えたと判断したとき、この回転速度調整モータを作動させてスプールに制動力をかけたり、釣糸繰出し時のスプールの回転速度が所定値を越えたと判断したときに、リール本体に装着したスプール駆動モータを巻取り回転方向へ回転させてスプールに制動力をかけるようにしたもの等が従来から知られている（例えば、特許文献１，２参照。）。
【特許文献１】特開平６−３０３８８１号公報
【特許文献２】特開２０００−６０３７９号公報
【発明の開示】
【発明が解決しようとする課題】
【０００４】
ところで、釣法の一つに、クラッチ機構をＯＦＦ操作してスプールをフリー回転状態にした後、仕掛けを潮の流れに乗せてポイントへ投入する「フカセ釣法」が知られている。
しかし、このフカセ釣りの際に、十分な針掛かりが得られていない初期状態で、上述の如く回転速度調整モータやスプール駆動モータが駆動してスプールに制動力が作用してしまうと、魚が餌を吐き出してしまって確実にヒットできなかったり、針掛かりした状態でも、口元が弱い魚の場合は口切れが発生してバラシてしまうことがあり、上述した従来例にあっては、微妙な魚との駆け引きや対応が要求されるフカセ釣法を、バックラッシュ現象を回避し乍ら十分な針掛かりが得られるような対応が行えないのが実情であった。
【０００５】
本発明は斯かる実情に鑑み案出されたもので、バックラッシュ現象を回避し乍ら、魚との微妙な駆け引きや対応を可能とした魚釣用リールを提供することを目的とする。
【課題を解決するための手段】
【０００６】
斯かる目的を達成するため、請求項１に係る発明は、リール本体の側板間に、スプールを回転自在に支持した魚釣用リールに於て、上記スプールから繰り出される釣糸の繰出し速度を計測する計測手段と、釣糸の繰出し速度に係わる所定条件を記憶した記憶手段と、報知手段と、記憶手段に記憶された所定条件と計測手段で計測された計測値とを比較し、計測値が当該記憶手段の所定条件と一致したときに上記報知手段に作動指令を送出する制御手段とを備えたことを特徴とする。
【０００７】
そして、請求項２に係る魚釣用リールは、リール本体の側板間に回転自在に支持したスプールと、釣糸の繰り出しで回転する回転体の回転方向と回転数を検出する回転検出手段と、当該回転検出手段の検出値を基に糸長を計測して、これをリール本体に装着した表示器に表示させる糸長計測手段と、報知手段と、釣糸の所定長さの繰出し量を記憶した記憶手段と、前記糸長計測手段で計測する計測値を基に、釣糸が記憶手段に記憶された所定の繰出し量分繰り出される毎に、上記報知手段に作動指令を送出する制御手段とを備えたことを特徴とする。
【発明の効果】
【０００８】
請求項１に係る発明によれば、仕掛けを潮の流れに乗せてポイントへ投入するフカセ釣りを行う場合等、魚が餌を口にして走り、釣糸が急激に繰り出されても、仕掛けに不要な抵抗が作用せずにこの繰出し状況を釣人に報知できるので、状況に応じたスプールへの微妙なサミング操作等の対応が可能となり、バックラッシュ現象の回避を図り乍ら、魚との微妙な駆け引きや対応を行うことが可能となった。
【０００９】
そして、請求項２に係る発明によれば、釣糸が所定の繰出し量分繰り出される毎に報知手段が作動するため、報知の間隔の長短で仕掛けの流れ具合が確認でき、潮に上手く乗っているか否かが判断できると共に、急激に報知の作動間隔が短く変化することで当たりとしても認識できるため、状況に応じたスプールへの微妙なサミング操作等の対応が可能となり、バックラッシュ現象の回避を図り乍ら、魚との微妙な駆け引きや対応によって有効なフカセ釣りが行える利点を有する。
【発明を実施するための最良の形態】
【００１０】
以下、本発明の実施形態を図面に基づいて詳細に説明する。
図１は請求項１に係る発明を電動リールに適用した一実施形態の平面図、図２は当該電動リールの駆動系の概略構成図を示し、図１に於て、１はリール本体３のフレーム、５，７は当該フレーム１の左右に取り付く側板で、両側板５，７間にスプール軸９を介してスプール１１が回転自在に支持されている。
【００１１】
スプール１１は、スプールモータ１３の駆動やハンドル１５の巻取り操作で回転して釣糸が巻回されるようになっており、スプールモータ１３は、スプール１１前方の側板５，７間のフレーム１に一体成形された筒状のモータケース（図示せず）内に収容されている。
また、図２に示すように側板５内には、スプールモータ１３のモータ軸１３ａの一端側に装着された遊星歯車とこれに噛合する太陽歯車や内歯歯車からなる遊星減速機構１７と、複数枚の歯車１９ａ，１９ｂ，１９ｃからなる動力伝達機構１９が装着されており、スプールモータ１３のモータ動力が、当該遊星減速機構１７と動力伝達機構１９を介してスプール軸９に伝達されるようになっている。
【００１２】
而して、スプール軸９は、スプール１１の中央を貫通してその他端側が側板７内に突出しており、その突出端に、ハンドル１５の駆動力やスプールモータ１３の駆動力をスプール軸９からスプール１１に伝達させる動力伝達機構２１やクラッチ機構２３、また、ハンドル１５のハンドル軸２５と駆動ギヤ２７とを任意のドラグ力で摩擦結合するドラグ装置２９等が装着されている。そして、側板７の側部後方に装着したクラッチレバー３１のＯＮ／ＯＦＦ操作で、クラッチ機構２３のクラッチプレートが、駆動ギヤ２７に噛合するピニオン３３と動力伝達機構２１の係合部３５とのクラッチ係合を係脱して、スプール１１へのスプールモータ１３やハンドル１５の回転力が伝達／遮断されるようになっている。
【００１３】
そして、ハンドル１５による巻取り操作時に、その回転力が駆動ギヤ２７，動力伝達機構２１からスプール１１に伝達されてスプール１１が巻取り方向へ回転し、また、スプールモータ１３による巻取り操作時には、遊星減速機構１７と動力伝達機構１９から伝達されたスプールモータ１３の駆動力でスプール軸９が回転し、そして、回転しない駆動ギヤ２７の反力で動力伝達機構２１がスプール１１を巻取り方向へ回転させるようになっている。
【００１４】
一方、図１及び図２に示すようにスプール１１の一側面にはマグネット３７が装着されると共に、マグネット３７の回転軌跡に対向して一対のリードスイッチ３９がフレーム１側に装着されており、これらはスプール１１の回転数と回転方向を検出する回転検出手段として機能する。そして、図３に示すようにリードスイッチ３９は、リール本体３上部の側板５，７間に装着した制御ボックス４１内のマイクロコンピュータ４３に接続されている。
【００１５】
マイクロコンピュータ４３のＲＯＭには、特開平５−１０３５６７号公報で開示された電動リールと同様の糸長計測方法がプログラムされており、マイクロコンピュータ４３のＣＰＵ（制御手段）は、リードスイッチ３９から出力されるスプール１１の正転，逆転の判定信号を取り込んで釣糸の繰出しか巻取りかを判定すると共に、リードスイッチ３９から取り込むスプール１１の回転パルス信号をアップ・ダウンカウンタでカウントして、この計数値を基にＲＯＭに記憶された糸長計算式から糸長を演算するようになっている。
【００１６】
そして、図１に示すように制御ボックス４１の操作パネル４５上には表示器４７が装着されており、ＣＰＵは演算した計測値を表示駆動回路４９を介してこの表示器４７に表示させるようになっている。
また、図１に示すように操作パネル４５上には、表示器４７の表示をリセットするリセットスイッチ５１と棚メモスイッチ５３が装着されており、図３に示すようにこれらはマイクロコンピュータ４３に接続されている。
【００１７】
そして、表示器４７の表示を見乍ら、例えば釣糸が水面から１２０ｍ繰り出された処で釣人が棚メモスイッチ５３を操作すると、マイクロコンピュータ４３のＣＰＵは、水深１２０ｍを棚位置としてＲＡＭに記憶させるようになっており、実釣時に釣糸が設定されたこの棚位置まで繰り出されると、ＣＰＵはアラーム駆動回路５５を介して操作パネル４５に装着した第１のアラーム（報知手段）５７を作動させるようになっている。
【００１８】
従って、斯かるアラーム５７の作動に伴い釣人がクラッチレバー３１をＯＮ操作すると、釣糸の繰出しが停止して仕掛けが所定の棚位置（ポイント）に正確に繰り出されることとなる。
そして、従来と同様、マイクロコンピュータ４３や表示器４７等を駆動する図示しない電池電源が制御ボックス４１に内蔵されている。
【００１９】
また、図１に示すようにハンドル１５が取り付く側板７の側部前方には、特許第２９７７９７８号公報で開示された電動リールと同様、スプールモータ１３のモータ出力を増減して釣糸の巻取り速度を調節するパワーレバー５９が、ハンドル１５の回転方向と同方向へ所定の角度に亘って回転操作可能に取り付けられており、図３に示すようにパワーレバー５９は側板７に内蔵されたポテンショメータ６１に連結されている。
【００２０】
そして、ＣＰＵは、パワーレバー５９の操作量に応じたパルス信号のデューティ比としてスプールモータ１３への電流通電時間率を可変制御して、パワーレバー５９の操作に従い、スプールモータ駆動回路６３に指令を送出してスプールモータ１３をモータ停止状態から最大値（０〜１００％）まで連続的に制御するようになっており、当該パワーレバー５９やハンドル１５の操作で釣糸がスプール１１に巻き取られることとなる。
【００２１】
ところで、既述したように釣糸の繰出しの際に、潮流の影響や不意に魚がかかってスプール１１が過回転すると、バックラッシュ現象が発生する虞がある。
しかし、バックラッシュ現象を防止するため、前記特許文献１，２の如く過回転するスプールに制動力を自動的にかけてしまうと、十分な針掛かりが得られていない状態では魚が餌を吐き出してしまい、また、針掛かりした状態でも、口元が弱い魚の場合は口切れが発生してバラシてしまうことがあり、バックラッシュ現象を回避し乍ら、魚との微妙な駆け引きや対応が可能な魚釣用リールが要望されていた。
【００２２】
そこで、本実施形態は、斯かる不具合を解決するため、以下の如き特徴を有する。
即ち、マイクロコンピュータ４３のＲＯＭには、先ず、クラッチ機構２３のクラッチＯＦＦを検知する検知条件として、
検知条件；「スプール１１が１秒間に２回転以上釣糸繰出し方向へ回転したとき」
が記憶され、更に、釣糸の繰出し速度に係わる所定条件として、
所定条件；「基準繰出し速度に対するアップ率（例えば、５０％ｕｐ）」
が記憶されている。
【００２３】
そして、既述したようにマイクロコンピュータ４３のＣＰＵは、リードスイッチ３９から取り込むスプール１１の回転パルス信号を基に糸長計測を行って計測値を表示器４７に表示させるが、ＣＰＵは、タイマ６７の計時値と、リードスイッチ３９から取り込むスプール１１の正転，逆転の判定信号及び回転パルス信号を基に、スプール１１が１秒間に２回転以上釣糸繰出し方向へ回転したことを検出したとき、上記検知条件を満たしたと判断して、スプール１１がフリー回転状態にあるとみなすようになっている（クラッチＯＦＦの検出）。
【００２４】
而して、斯様にクラッチＯＦＦを検出すると、ＣＰＵは更にリードスイッチ３９から取り込むスプール１１の回転パルス信号とタイマ６７の計時値を基に、所定区間（例えば５秒間のデータ収集区間）に亘るスプール１１の回転速度、即ち、その場に於ける釣糸の平均的な繰出し速度を計測して、これを基準繰出し速度としてＲＡＭに記憶させるようになっている。
【００２５】
この後、ＣＰＵは、釣糸の繰出しに伴い、タイマ６７の計時値とリードスイッチ３９から取り込むスプール１１の正転，逆転の判定信号及び回転パルス信号を基に釣糸繰出し速度を計測するが、例えば潮流の影響や不意に魚がかかって走ったためにスプール１１が過回転した結果、例えば、ＲＡＭに記憶させた基準繰出し速度４ｍ／ｓに対して計測値が５０％ｕｐの６ｍ／ｓ以上であれば、ＲＯＭに記憶させたアップ率に一致したと判断して、ＣＰＵはアラーム駆動回路５５を介して操作パネル４５上に装着した第２のアラーム（報知手段）６９を作動させるようになっている。
【００２６】
尚、第２のアラーム６９は第１のアラーム５７と音色を異にしている。
従って、斯かるアラーム６９の作動によりスプール１１の過回転状態を知ることができるため、サミング操作等をして釣糸の繰出し速度を微妙にコントロールできることとなる。
そして、ＲＡＭに記憶された基準繰出し速度は、釣糸の繰出し操作毎（クラッチＯＦＦの検知毎）に順次更新されるようになっている。
【００２７】
その他、図１中、７１はハンドル軸２５に装着したドラグレバー、また、図２中、７３はモータ軸１３ａの他端側に装着した一方向クラッチで、ドラグ装置２９のドラグ力は上記ドラグレバー７１の操作で調節されるようになっている。
本実施形態はこのように構成されており、図４の制御フローチャートに示すようにマイクロコンピュータ４３のＣＰＵは、クラッチ機構２３のＯＮ／ＯＦＦ状態を常に監視している（ステップＳ１）。
【００２８】
そして、クラッチレバー３１のＯＦＦ操作でスプール１１をフリー回転状態にして仕掛けを潮の流れに乗せていくと、釣糸繰出し方向にスプール１１が回転して釣糸が順次繰り出されていくが、ステップＳ１で、タイマ６７の計時値と、リードスイッチ３９から取り込むスプール１１の正転，逆転の判定信号及び回転パルス信号を基に、スプール１１が釣糸繰出し方向へ１秒間に２回転以上回転したことをＣＰＵが検出すると、ＣＰＵは、ＲＯＭに記憶された検知条件が満たされたことでクラッチＯＦＦを検知する。
【００２９】
而して、斯様にクラッチＯＦＦを検知すると、ＣＰＵは、ステップＳ２に移行し、リードスイッチ３９から取り込むスプール１１の回転パルス信号とタイマ６７の計時値を基に、所定区間（既述したように例えば５秒間のデータ収集区間）に亘る釣糸の基準繰出し速度を計測して、これをＲＡＭに設定，記憶する。
この後、ＣＰＵは、釣糸の繰出しに伴い、タイマ６７の計時値とリードスイッチ３９から取り込むスプール１１の正転，逆転の判定信号及び回転パルス信号を基に釣糸繰出し速度を計測し（ステップＳ３）、ステップＳ３に於て、例えばＲＡＭに記憶させた基準繰出し速度４ｍ／ｓに対して５０％ｕｐの６ｍ／ｓ以上の釣糸繰出し速度を計測すると、ＣＰＵはステップＳ４に進んでアラーム駆動回路５５を介して第２のアラーム６９を作動させることとなる。
【００３０】
従って、斯かるアラーム６９の作動によりスプール１１の過回転を釣人は知るため、釣人は、バックラッシュ現象が発生する虞があるとしてサミング操作等をして、釣糸の繰出し速度を微妙にコントロールできることとなる。
そして、ＲＡＭに記憶された基準繰出し速度は、釣糸の繰出し操作毎（クラッチＯＦＦの検知毎）に順次更新される。
【００３１】
このように、本実施形態は、クラッチＯＦＦの検知を起点として基準繰出し速度を求め、これをＲＡＭに設定，記憶させた後、計測した釣糸の繰出し速度とＲＯＭに記憶された所定条件とを比較して、計測値が所定条件と一致したとき、バックラッシュ現象が発生する虞があるとしてアラーム６９を作動させるように構成したので、仕掛けを潮の流れに乗せてポイントへ投入するフカセ釣りを行う場合等、魚が餌を口にして走り、釣糸が急激に繰り出されても、仕掛けに不要な抵抗が作用せずにこの繰出し状況を釣人に報知でき、この結果、状況に応じたスプール１１への微妙なサミング操作等の対応が可能となり、バックラッシュ現象の回避を図り乍ら、魚との微妙な駆け引きや対応を行うことができることとなった。
【００３２】
尚、既述したように上記実施形態では、クラッチＯＦＦの検知条件として、
検知条件；「スプール１１が１秒間に２回転以上釣糸繰出し方向へ回転したとき」
をマイクロコンピュータ４３のＲＯＭに予め設定，記憶させたが、例えばクラッチレバー３１にマグネットを装着すると共に、当該マグネットでＯＮとなるリードスイッチを側板７側のクラッチレバー３１のＯＦＦ操作位置に装着し、当該リードスイッチのＯＮ信号をマイクロコンピュータ４３に入力させることで、クラッチＯＦＦを検知させるように構成してもよい。
【００３３】
また、既述した所定条件に代え、例えば予め工場出荷段階で所定の釣糸繰出し速度（例えば６ｍ／ｓ）をＲＯＭに設定，記憶させておき、実釣時に計測した釣糸の繰出し速度がこの所定速度に達したときにアラーム６９を作動させるように構成してもよい。
更にまた、報知手段は上述したアラーム６９に限定させるものではなく、例えば光や音声、表示器４３の色調変化等の手段を用いて、釣人にその旨を報知させるように構成してもよいことは勿論で、図示しないこれらの各実施形態によっても、既述した実施形態と同様、所期の目的を達成することが可能である。
【００３４】
図５は請求項２の一実施形態に係る魚釣用リールの制御ブロック図を示し、以下、本実施形態を図面に基づいて説明する。
尚、発明部分を除く構成は図１の実施形態と同一であるため、それらについての説明は省略し、専ら発明部分について説明する。そして、上記実施形態と同一のものは同一符号を以って表示する。
【００３５】
図５に示すマイクロコンピュータ４３-1のＲＯＭには、図１の実施形態と同様の糸長計測方法がプログラムされ、そのＣＰＵ（制御手段）は、リードスイッチ３９から出力されるスプール１１の正転，逆転の判定信号を取り込んで釣糸の繰出しか巻取りかを判定すると共に、リードスイッチ３９から取り込むスプール１１の回転パルス信号をアップ・ダウンカウンタでカウントして、この計数値を基にＲＯＭに記憶された糸長計算式から糸長を演算するようになっている。
【００３６】
そして、ＣＰＵは演算した計測値を、表示駆動回路４９を介して表示器４７に表示させる。
また、前記マイクロコンピュータ４３と同様、例えば釣糸が水面から１２０ｍ繰り出された処で釣人が棚メモスイッチ５３を操作すると、マイクロコンピュータ４３-1のＣＰＵは、水深１２０ｍを棚位置としてＲＡＭに記憶させるようになっており、実釣時に釣糸が設定されたこの棚位置まで繰り出されると、ＣＰＵはアラーム駆動回路５５を介して操作パネル４５に装着した第１のアラーム５７を作動させるようになっている。
【００３７】
更にＣＰＵは、パワーレバー５９の操作量に応じスプールモータ１３への電流通電時間率を可変制御してモータ出力を連続的に制御する。
そして、本実施形態も、上述の如き構成に加え、有効なフカセ釣りを可能とするため、以下の特徴を有する。
即ち、マイクロコンピュータ４３-1のＲＯＭには、クラッチ機構２３のクラッチＯＦＦを検知する検知条件として、
検知条件；「スプール１１が１秒間に２回転以上釣糸繰出し方向へ回転したとき」
が記憶されると共に、釣糸の所定長さの繰出し量として、
繰出し単位長さ；「１ｍ」
が、予め工場出荷段階で記憶されている。
【００３８】
そして、既述したようにＣＰＵは、リードスイッチ３９から取り込むスプール１１の回転パルス信号を基に糸長計測を行って計測値を表示器４７に表示させるが、ＣＰＵは、タイマ６７の計時値と、リードスイッチ３９から取り込むスプール１１の正転，逆転の判定信号及び回転パルス信号を基に、スプール１１が１秒間に２回転以上釣糸繰出し方向へ回転したことを検出したとき、上記検知条件を満たしたと判断して、スプール１１がフリー回転状態にあるとみなすようになっている（クラッチＯＦＦの検出）。
【００３９】
而して、斯様にクラッチＯＦＦを検出すると、ＣＰＵは、スプール１１の回転パルス信号を基に演算している糸長計測値と前記繰出し単位長さ「１ｍ」に基づき、釣糸が１ｍ繰り出される毎に、アラーム駆動回路５５を介して第２のアラーム６９を作動させるようになっている。
従って、釣人はアラーム６９の作動間隔の長短で、仕掛けの繰出し状態を知ることができることとなる。
【００４０】
本実施形態はこのように構成されているから、マイクロコンピュータ４３-1のＣＰＵは、クラッチ機構２３のＯＮ／ＯＦＦ状態を常に監視している。
そして、クラッチレバー３１のＯＦＦ操作でスプール１１をフリー回転状態にして仕掛けを潮の流れに乗せていくと、釣糸繰出し方向にスプール１１が回転して釣糸が順次繰り出されていくが、ＣＰＵは、タイマ６７の計時値と、リードスイッチ３９から取り込むスプール１１の正転，逆転の判定信号及び回転パルス信号を基に、スプール１１が釣糸繰出し方向へ１秒間に２回転以上回転したことを検出すると、ＲＯＭに記憶された検知条件が満たされたことでクラッチＯＦＦを検知する。
【００４１】
而して、斯様にクラッチＯＦＦを検知すると、上述の如くＣＰＵは、スプール１１の回転パルス信号を基に演算している糸長計測値と前記繰出し単位長さ「１ｍ」に基づき、釣糸が１ｍ繰り出される毎にアラーム６９を作動させることとなる。
このため、釣人は、アラーム６９の作動間隔の長短で仕掛けの繰出し状態を知ることができ、この結果、例えばフカセ釣法に対応して仕掛けを流しているときに、アラーム６９の作動間隔で仕掛けの流れ具合が確認でき、仕掛けが潮に上手く乗っているか否かが判断できると共に、急激にアラーム６９の作動間隔が短く変化することで、当たりとしても認識できることとなる。
【００４２】
このように本実施形態によれば、フカセ釣りを行う場合に、クラッチ機構の釣糸繰出し状態の検出後、釣糸が所定量繰り出される毎に発せられるアラーム６９の間隔の長短で仕掛けの流れ具合が確認でき、潮に上手く乗っているか否かが判断できると共に、急激にアラーム６９の作動間隔が短く変化することで当たりとしても認識できるため、状況に応じたスプール１１への微妙なサミング操作等の対応が可能となり、バックラッシュ現象の回避を図り乍ら、魚との微妙な駆け引きや対応により有効なフカセ釣りが行えることとなった。
【００４３】
尚、既述したように本実施形態にあっても、クラッチＯＦＦの検知条件として、
検知条件；「スプール１１が１秒間に２回転以上釣糸繰出し方向へ回転したとき」
をマイクロコンピュータ４３-1のＲＯＭに予め設定，記憶させたが、クラッチレバー３１にマグネットを装着すると共に、当該マグネットでＯＮとなるリードスイッチを側板７側のクラッチレバー３１のＯＦＦ操作位置に装着し、当該リードスイッチのＯＮ信号をマイクロコンピュータ４３-1に入力させることで、クラッチＯＦＦを検知させるように構成してもよい。
【００４４】
また、釣糸の繰出し単位長さは「１ｍ」に限定されず、更にまた、斯かる繰出し単位長さの設定手段をリールに装着して、当該繰出し単位長さを釣人が任意に設定できるようにしてもよい。
そして、報知手段はアラーム６９に限定させず、例えば光や振動，表示器４３の色調変化等の手段を用いて、釣人にその旨を報知させるように構成してもよいことは勿論で、図示しないこれらの各実施形態によっても、所期の目的を達成することが可能である。
【図面の簡単な説明】
【００４５】
【図１】請求項１に係る発明を電動リールに適用した一実施形態の平面図である。
【図２】図１に示す電動リールの駆動系の概略構成図である。
【図３】図１に示す電動リールの制御ブロック図である。
【図４】図１に示す電動リールの制御フローチャートである。
【図５】請求項２の一実施形態に係る電動リールの制御ブロック図である。
【符号の説明】
【００４６】
３  リール本体
５，７  側板
９  スプール軸
１１  スプール
１３  スプールモータ
１５  ハンドル
３１  クラッチレバー
３９  リードスイッチ
４３，４３-1  マイクロコンピュータ
４７  表示器
５７  第１のアラーム
５９  パワーレバー
６５  電動リール
６７  タイマ
６９  第２のアラーム
【図１】
2004208688.tif 000003
【図２】
2004208688.tif 000004
【図３】
2004208688.tif 000005
【図４】
2004208688.tif 000006
【図５】
2004208688.tif 000007